(57)【要約】【課題】  簡便な作業で、毛髪における処理を施したくない部分を被覆して、毛髪における処理を施したい部分のみを処理することができる毛髪保持具を提供すること。【解決手段】  一端の開口部２１から他端の開口部２２に向けて毛髪束を挿通可能にシート２３Ａ、２３Ｂにより構成された扁平形状の筒状体２からなる毛髪保持具であって、前記筒状体２の一方の面を形成するシート２３Ａ及び／又は他方の面を形成するシート２３Ｂは、テーバーこわさが０．４ｍＮ・ｍ以上であり、前記筒状体２の一部が、毛髪処理剤に対して不透過性の剤不透過領域Ｅとされている。【選択図】  図１
2005198827.tif 000002
【特許請求の範囲】
【請求項１】
一端の開口部から他端の開口部に向けて毛髪束を挿通可能にシートにより構成された扁平形状の筒状体からなる毛髪保持具であって、
前記筒状体の一方の面を形成するシート及び／又は他方の面を形成するシートは、テーバーこわさが０．４ｍＮ・ｍ以上であり、
前記筒状体の一部が、毛髪処理剤に対して不透過性の剤不透過領域とされている毛髪保持具。
【請求項２】
前記剤不透過領域は、前記筒状体における前記他端の開口部近傍に設けられている請求項１記載の毛髪保持具。
【請求項３】
一端の開口部から他端の開口部に向けて毛髪束を挿通可能にシートにより構成された扁平形状の筒状体からなる毛髪保持具であって、
前記筒状体の一方の面を形成するシート及び／又は他方の面を形成するシートは、テーバーこわさが０．４ｍＮ・ｍ以上であり、
前記筒状体の一部が、該筒状体の内面に毛髪保護剤が塗布されている剤塗布領域又は該筒状体に毛髪保護剤が含浸されている剤含浸領域とされている毛髪保持具。
【請求項４】
一端の開口部から他端の開口部に向けて毛髪束を挿通可能にシートにより構成された扁平形状の筒状体からなる毛髪保持具であって、
前記筒状体の一方の面を形成するシート及び／又は他方の面を形成するシートは、テーバーこわさが０．４ｍＮ・ｍ以上であり、
前記筒状体は、その全長が３〜１５ｃｍであり、その略全部が毛髪処理剤に対して不透過性の剤不透過領域とされている毛髪保持具。
【請求項５】
一端の開口部から他端の開口部に向けて毛髪束を挿通可能にシートにより構成された扁平形状の筒状体からなる毛髪保持具であって、
前記筒状体の一方の面を形成するシート及び／又は他方の面を形成するシートは、テーバーこわさが０．４ｍＮ・ｍ以上であり、
前記筒状体は、その全長が３〜１５ｃｍであり、その略全部が、該筒状体の内面に毛髪保護剤が塗布されている剤塗布領域又は該筒状体に毛髪保護剤が含浸されている剤含浸領域とされている毛髪保持具。
【発明の詳細な説明】
【技術分野】
【０００１】
本発明は、パーマ等により毛髪にカールを付与する場合に、毛髪束を所定の形状に巻回するときの補助具として用いられる毛髪保持具に関する。
【背景技術】
【０００２】
下記特許文献１には、一般的なパーマ処理の工程において、液不透過性のゴムチューブを用い、ゴムチューブで毛髪におけるパーマ処理を施したくない部分を被覆して、毛髪におけるパーマ処理を施したい部分のみをパーマ処理する技術が開示されている。
【０００３】
【特許文献１】米国特許第５５８４３０９号明細書
【発明の開示】
【発明が解決しようとする課題】
【０００４】
しかし、前記特許文献１記載の技術によれば、ゴムチューブが柔らか過ぎて巻き上げるのに巻芯（ロッド）が必要であり、またゴムチューブの長さを調節する必要もあり、パーマ処理作業が繁雑であった。
【０００５】
従って、本発明の目的は、簡便な作業で、毛髪における処理を施したい部分のみを処理することができる毛髪保持具を提供することにある。
【課題を解決するための手段】
【０００６】
本発明は、一端の開口部から他端の開口部に向けて毛髪束を挿通可能にシートにより構成された扁平形状の筒状体からなる毛髪保持具であって、前記筒状体の一方の面を形成するシート及び／又は他方の面を形成するシートは、テーバーこわさが０．４ｍＮ・ｍ以上であり、前記筒状体の一部が、毛髪処理剤に対して不透過性の剤不透過領域とされている毛髪保持具を提供することにより、上記目的を達成したものである。
【０００７】
また、本発明は、一端の開口部から他端の開口部に向けて毛髪束を挿通可能にシートにより構成された扁平形状の筒状体からなる毛髪保持具であって、前記筒状体の一方の面を形成するシート及び／又は他方の面を形成するシートは、テーバーこわさが０．４ｍＮ・ｍ以上であり、前記筒状体の一部が、該筒状体の内面に毛髪保護剤が塗布されている剤塗布領域又は該筒状体に毛髪保護剤が含浸されている剤含浸領域とされている毛髪保持具を提供するものである。
【０００８】
また、本発明は、一端の開口部から他端の開口部に向けて毛髪束を挿通可能にシートにより構成された扁平形状の筒状体からなる毛髪保持具であって、前記筒状体の一方の面を形成するシート及び／又は他方の面を形成するシートは、テーバーこわさが０．４ｍＮ・ｍ以上であり、前記筒状体は、その全長が３〜１５ｃｍであり、その略全部が毛髪処理剤に対して不透過性の剤不透過領域とされている毛髪保持具を提供するものである。
【０００９】
また、本発明は、一端の開口部から他端の開口部に向けて毛髪束を挿通可能にシートにより構成された扁平形状の筒状体からなる毛髪保持具であって、前記筒状体の一方の面を形成するシート及び／又は他方の面を形成するシートは、テーバーこわさが０．４ｍＮ・ｍ以上であり、前記筒状体は、その全長が３〜１５ｃｍであり、その略全部が、該筒状体の内面に毛髪保護剤が塗布されている剤塗布領域又は該筒状体に毛髪保護剤が含浸されている剤含浸領域とされている毛髪保持具を提供するものである。
【発明の効果】
【００１０】
本発明の毛髪保持具によれば、簡便な作業で、毛髪における処理を施したくない部分を被覆又は保護して、毛髪における処理を施したい部分のみを処理することができる。
【発明を実施するための最良の形態】
【００１１】
以下、本発明の毛髪保持具を、その好ましい一実施形態について、図１を参照して説明する。
本実施形態の毛髪保持具１は、図１に示すように、一端の開口部２１から他端の開口部２２に向けて毛髪束Ｈ（図２参照）を挿通可能にシート２３Ａ、２３Ｂにより構成された扁平形状の筒状体２からなる毛髪保持具であって、前記筒状体２の一方の面を形成するシート（以下「一面シート」ともいう）２３Ａ及び／又は他方の面を形成するシート（以下「他面シート」ともいう）２３Ｂは、テーバーこわさが０．４ｍＮ・ｍ以上であり、前記筒状体２の一部が、毛髪処理剤に対して不透過性の剤不透過領域Ｅとされている。
【００１２】
本実施形態の毛髪保持具１について以下に詳述する。
筒状体２は、図１に示すように、２枚の矩形状のシート２３Ａ、２３Ｂを、その長手方向に沿う側端部２４、２４同士を接合させて形成されている。筒状体２の大きさは、長さ５０〜３５０ｍｍ、長径２０〜１００ｍｍ、短径０〜３０ｍｍであることが好ましく、毛髪の長さやくせ付けしたい場所、挿入する毛髪束の量に応じて適宜選択できる。
【００１３】
筒状体２の一面シート２３Ａ及び他面シート２３Ｂは、テーバーこわさが０．４ｍＮ・ｍ以上であり、好ましくは１ｍＮ・ｍ以上である。このような大きさのテーバーこわさを有していると、巻芯（ロッド）を用いなくても容易に巻径を確保することができる。
【００１４】
筒状体２の一端の開口部２１の端部には、該端部から筒状体２の長手方向に延出した延設部４が設けられている。延設部４は、筒状体２の他面シート２３Ｂと一体的に形成されている。
【００１５】
筒状体２を構成する一面シート２３Ａ，他面シート２３Ｂとしては、各種可撓性材料が用いられ、例えば、不織布（ポリエチレン不織布、ポリエチレンテレフタレート不織布等）、織布、多孔性又は非多孔性の樹脂フィルム（ポリエチレンフィルム、ポリエチレンテレフタレートフィルム等）、紙、高分子材料シート、ゴムシート、又はこれらの複合体等が挙げられる。
一面シート２３Ａ、他面シート２３Ｂの厚みは、好ましくは３０μｍ〜５００μｍである。
【００１６】
本実施形態の毛髪保持具においては、筒状体２の一部が、詳細には筒状体２における他端の開口部２２近傍のみが、毛髪処理剤に対して不透過性の剤不透過領域Ｅとされている。
詳述すると、筒状体２のうち、他端の開口部２２側の約３０％は、毛髪処理剤に対して不透過性の剤不透過領域Ｅ（図１及び図２において多数のドットが付されている領域）とされている。筒状体２のうち、一端の開口部２１側の約７０％は、毛髪処理剤に対して透過性の剤透過領域Ｆ（ドットが付されていない領域）とされている。
剤不透過領域Ｅの長さは、処理を施したくない毛髪の長さに応じて適宜設定することができる。剤透過領域Ｆの長さも、適宜設定できるが、毛髪の巻き上げ時の取扱い易さを考慮すると、剤不透過領域Ｅの長さの２倍以上であることが好ましい。
【００１７】
一面シート２３Ａ又は他面シート２３Ｂにおいては、剤不透過領域Ｅを剤不透過性の素材から構成し、剤透過領域Ｆを剤透過性の素材から構成し、これらを長手方向に接合することにより、「一部が毛髪処理剤に対して不透過性の剤不透過領域とされている筒状体２」を得ることができる。また、このような筒状体は、その全体を剤透過性の素材から形成し、その一部に対して剤不透過処理を施すことにより得ることもできる。
【００１８】
延設部４における他面シート２３Ｂ側には、図１（ｂ）に示すように、メカニカルファスナー５が設けられている。メカニカルファスナー５は、筒状体２の一面シート２３Ａの任意の位置に係合し得るようになっている。
本発明における「毛髪処理剤」とは、毛髪と化学的な反応を行い、損傷を与えるような剤のことを言う。例えば、パーマ処理剤、染毛剤、脱色剤等が挙げられる。
【００１９】
次に、図１に示す実施形態の毛髪保持具の一使用態様について、図２を参照して説明する。
毛髪束Ｈの量や得ようとするカール形状や処理を施したくない毛髪の長さに応じて、適当な長さ及び幅並びに剤不透過領域Ｅを有する筒状体２からなる毛髪保持具１を用いる。先ず、図２（ａ）に示すように、筒状体２の一端の開口部２１を楕円形状に開口して、該開口部２１から毛髪束Ｈを挿入する。そして、毛髪束Ｈの先端近傍の処理を施したくない部分を、筒状体２の剤不透過領域Ｅに配置する。
【００２０】
その後、図２（ｂ）及び（ｃ）に示すように、一面シート２３Ａを外側にして筒状体２を他端の開口部２２の側から、所望の巻回径で巻回する。そして、図２（ｄ）に示すように、延設部４のメカニカルファスナー５を筒状体２の一面シート２３Ａに係合して毛髪束Ｈの巻回状態を保持する。
次いで、筒状体２の外側からパーマ用の毛髪処理剤を毛髪束Ｈに付与する。毛髪処理剤は、一面シート２３Ａ及び他面シート２３Ｂにおける剤透過領域Ｆを介して毛髪束Ｈに付与されるが、剤不透過領域Ｅからは毛髪束Ｈには付与されない。所定時間後、筒状体２から毛髪束Ｈを挿脱し、洗髪等して、パーマ処理を完了する。
筒状体２の開口部２１から毛髪束Ｈを挿入させる際に、必要に応じ、開口部２１を真円状に開口した方が、毛髪束Ｈをスムーズに挿入させ易い。
【００２１】
本実施形態の毛髪保持具１によれば、筒状体２に挿通した毛髪束Ｈの一部、具体的には筒状体２の剤不透過領域Ｅに配置する毛髪束Ｈは、剤不透過領域Ｅによって被覆され、毛髪処理剤が付与されないため、パーマ処理が実質的に施されない。そのため、適当な長さの剤不透過領域Ｅを有する筒状体２からなる毛髪保持具１を用い、毛髪束Ｈを筒状体２の適当な位置に配置すれば、毛髪束Ｈにおける処理を施したくない部分（ダメージを受けている場合の多い毛先等）に毛髪処理剤が付与されないようにすることができる。そして、筒状体２が適度な大きさのテーバーこわさを有しているため、巻芯（ロッド）を用いなくても筒状体２のみで適度な巻径を保持することができる。
【００２２】
次に、本発明の毛髪保持具の他の実施形態について説明する。これらの実施形態については、図１に示す実施形態と異なる点についてのみ説明し、特に説明しない点については、図１に示す実施形態に関する説明が適宜適用される。そして、他の実施形態の毛髪保持具においても、図１に示す実施形態の毛髪保持具と同様に、毛髪束Ｈにおける処理を施したくない部分に毛髪処理剤が付与されないようにすることができる。
【００２３】
図３に示す実施形態の毛髪保持具１は、図１に示す実施形態の毛髪保持具１に比して、毛髪処理剤に対して不透過性の剤不透過領域Ｅが設けられておらず、それに代えて、筒状体２の内側に毛髪保護剤Ｐが塗布されている剤塗布領域Ｇが設けられている。剤塗布領域Ｇは、毛髪処理剤を透過する剤透過領域Ｆを構成する素材と一体的に形成されている。
本発明における「毛髪保護剤」とは、毛髪処理剤による毛髪へのダメージを低減する剤であり、例えば、毛髪処理剤がパーマ液である場合には、ジチオグリコール酸を含有し、パーマ反応を抑制する還元抑制剤である。その他、毛髪保護剤としては、市販の皮膚保護クリーム等やシリコーンオイル等が挙げられる。
更に本発明の毛髪保持具においては、剤塗布領域に代えて、筒状体に毛髪保護剤が含浸されている剤含浸領域（図示せず）を設けることができる。剤含浸領域においては、筒状体に含浸されている毛髪保護剤により、剤塗布領域と同様に、剤含浸領域の内側に配置する毛髪に対し、ダメージを低減することができる。
【００２４】
図３に示す実施形態の毛髪保持具によれば、図１に示す実施形態の毛髪保持具に比して、毛髪を被覆しないが、筒状体２に塗布又は含浸されている毛髪保護剤により毛髪が保護されるので、図１に示す実施形態の毛髪保持具と実質的に同様の効果が得られる。また、毛髪処理剤と毛髪保護剤の組合せにより、例えば毛髪処理剤としてパーマ処理剤を用い、毛髪保護剤として還元抑制剤を用いた場合には、毛先のみに弱いカールを付与し、その他の部分には強いカールを付与するという処理を行うことができる。
【００２５】
図４に示す実施形態の毛髪保持具１は、図１に示す実施形態の毛髪保持具１に比して、筒状体２の全長が３〜１５ｃｍであり、筒状体２の略全部が毛髪処理剤に対して不透過性の剤不透過領域Ｅとされている。即ち、図４に示す実施形態の毛髪保持具１は、図１に示す実施形態の毛髪保持具１に対し、剤透過領域Ｆを除いて、剤不透過領域Ｅと延設部４とを直接繋げた形態を有している。その他の構成は、図１に示す実施形態の毛髪保持具１と同じである。
筒状体２の全長は、３〜１５ｃｍであり、好ましくは５〜１０ｃｍである。筒状体２の全長は、毛髪束における処理を施したくない部分の長さと略同じ長さが好ましい。
【００２６】
本実施形態の毛髪保持具は、図１に示す実施形態又は図３に示す実施形態の毛髪保持具とは異なる態様で使用されるが、これらの実施形態の毛髪保持具と同様に、毛髪束Ｈにおける処理を施したくない部分に毛髪処理剤が付与されないようにすることができる。
毛髪における処理を施したくない長さに応じて、適当な長さ及び幅を有する筒状体２からなる毛髪保持具１を用いる。そして、筒状体２の一端の開口部２１を楕円形状に開口して、該開口部２１から毛髪束Ｈを挿入する。ここで、毛髪束Ｈにおける処理を施したくない部分のみが筒状体２に被覆される。
【００２７】
毛髪束Ｈを筒状体２に挿通させた後、一面シート２３Ａを外側にして筒状体２を他端の開口部２２の側から、所望の巻回径で巻回する。ここでは、筒状体２全体により一巻きが形成される。そして、延設部４のメカニカルファスナー５を筒状体２の一面シート２３Ａに係合して毛髪束Ｈの巻回状態を保持する。その後、筒状体２を更に巻回し、その外周に毛髪束Ｈを巻回して、その状態でクリップ等（図示せず）の固定手段で巻回状態を固定する。
次いで、筒状体２の外側からパーマ用の毛髪処理剤を毛髪束Ｈに付与する。毛髪処理剤は、筒状体２の外周に巻回されている毛髪には付与されるが、剤不透過領域Ｅのみからなる筒状体２に被覆されている毛髪束Ｈには付与されない。所定時間後、筒状体２から毛髪束Ｈを挿脱し、洗髪等して、パーマ処理を完了する。
【００２８】
図４に示す実施形態の毛髪保持具１によれば、剤不透過領域Ｅのみからなる筒状体２に挿通した毛髪束Ｈは、被覆され、毛髪処理剤が付与されないため、パーマ処理が実質的に施されない。
そのため、適当な長さを有する筒状体２からなる毛髪保持具１を用い、毛髪束Ｈにおける処理を施したくない部分を筒状体２に配置すれば、毛髪束Ｈにおける処理を施したくない部分に毛髪処理剤が付与されないようにすることができる。そして、筒状体２が適度な大きさのテーバーこわさを有しているため、巻芯（ロッド）を用いなくても筒状体２のみで適度な巻径を保持することができる。
【００２９】
図５に示す実施形態の毛髪保持具１は、図４に示す実施形態の毛髪保持具１に比して、筒状体２の略全部が剤塗布領域Ｇとされている。その他の点については、図４に示す実施形態の毛髪保持具１と同じである。特に説明しない点については、図３に示す実施形態又は図４に示す実施形態についての説明が適宜適用される。
更に本発明においては、図５に示す実施形態の毛髪保持具について、剤塗布領域に代えて、筒状体に毛髪保護剤が含浸されている剤含浸領域（図示せず）を設けることができる。
図５に示す実施形態についても、図４に示す実施形態と同様に使用され、図３に示す実施形態と同様の効果を得ることができる。
【００３０】
本発明の毛髪保持具は、前述した実施形態に制限されることなく、本発明の趣旨を逸脱しない限り、例えば以下に示すように適宜変更が可能である。
筒状体は、その一端が開口し且つその他端に閉口可能な手段を設けてあるものでもよい。筒状体は、その形成方法について特に制限はなく、シートを縫合、融着又は接着して形成したものでも、押出成形等により当初から筒状に形成したものでもよい。
筒状体においては、一方の面を形成するシート及び他方の面を形成するシートの両方が、テーバーこわさが０．４ｍＮ・ｍ以上であってよく、両シートのうちの一方のみがテーバーこわさが０．４ｍＮ・ｍ以上であってもよい。
【００３１】
筒状体の一部が剤不透過領域又は剤塗布領域若しくは剤含浸領域とされている形態においては、これら各領域の位置は、筒状体の他端の開口部近傍に制限されず、毛髪における処理を施したくない部分に合わせて、筒状体の長手方向中央部近傍のみ、筒状体の一端の開口部近傍のみ、筒状体の長手方向中央部から他端の開口部に亘る領域等、任意の位置に配置することができる。
剤不透過領域と剤塗布領域又は剤含浸領域とを組み合わせて設けることもできる。
【００３２】
本発明の前記実施形態のそれぞれ異なる部分を、適宜変更したり組み合わせた形態とすることもできる。
尚、本発明の毛髪保持具における「筒状体」を構成するシートの形状及びその表面状態は、上述の形態の筒状体を形成可能なものであれば良く、「扁平形状」という場合、シート材の表面は、凹凸面であってもよい。
また、本発明の毛髪保持具は、毛髪の先端にカールを付与する場合以外にも、毛髪に波状にカールを付与する場合、毛髪に螺旋状にカールを付与する場合等にも適用が可能である。
【図面の簡単な説明】
【００３３】
【図１】図１は、本発明の毛髪保持具の一実施形態を示す図で、（ａ）は正面斜視図、（ｂ）は背面斜視図である。
【図２】図２は、図１に示す毛髪保持具の一使用態様を示す図で、（ａ）、（ｂ）、（ｃ）及び（ｄ）は、それぞれ毛髪束の巻回手順を順次示す斜視図である。
【図３】図３は、本発明の毛髪保持具の別の実施形態を示す、（ａ）は正面斜視図、（ｂ）は背面斜視図である。
【図４】図４は、本発明の毛髪保持具の更に別の実施形態を示す図で、（ａ）は正面斜視図、（ｂ）は毛髪を巻回した状態を示す斜視図である。
【図５】図５は、本発明の毛髪保持具の更に別の実施形態を示す正面斜視図である。
【符号の説明】
【００３４】
１  毛髪保持具
２  筒状体
２１、２２  開口部
２３Ａ，２３Ｂ  シート
２４  側端部
４  延設部
Ｅ  剤不透過領域
Ｆ  剤透過領域
Ｇ  剤塗布領域
Ｈ  毛髪束
【図１】
2005198827.tif 000003
【図２】
2005198827.tif 000004
【図３】
2005198827.tif 000005
【図４】
2005198827.tif 000006
【図５】
2005198827.tif 000007